【手続補正書】
【提出日】平成25年11月15日(2013.11.15)
【手続補正１】
【補正対象書類名】特許請求の範囲
【補正対象項目名】全文
【補正方法】変更
【補正の内容】
【特許請求の範囲】
【請求項１】
遠心ロータ（１０）であって、
ロータコア（１６）の中心部分（１６ａ）から延在していると共に前記遠心ロータ（１０）の回転軸線（１４）を規定している、複数の細長アーム（３１，３３）を有している前記ロータコア（１６）と、
前記ロータコア（１６）に機能的に結合されていると共に前記回転軸線（１４）を中心として配置されている、複数のバケット支持部（２０ａ，２０ｂ）と、
を備えている前記遠心ロータ（１０）において、
前記バケット支持部（２０ａ，２０ｂ）それぞれが、前記細長アーム（３１，３３）のうち一の細長アームの長手方向端部に配置されており、
第１のストラップ（３６）が、対角線上において対向している前記バケット支持部（２０ａ，２０ｂ）から成る第１の組の周囲に延在しており、これにより前記バケット支持部（２０ａ，２０ｂ）から成る前記第１の組が、前記ロータコア（１６）に対して相対的に外方に移動することを制限しており、
第２のストラップ（３８）が、対角線上において対向している前記バケット支持部（２０ａ，２０ｂ）から成る第２の組の周囲に延在しており、これにより前記バケット支持部（２０ａ，２０ｂ）から成る前記第２の組が、前記ロータコア（１６）に対して相対的に外方に移動することを制限しており、前記第１のストラップ（３６）と前記第２のストラップ（３８）とが、前記回転軸線（１４）を貫通している位置において互いに交差していることを特徴とする遠心ロータ（１０）。
【請求項２】
前記第１のストラップ（３６）と前記第２のストラップ（３８）とが、炭素繊維から作られていることを特徴とする請求項１に記載の遠心ロータ（１０）。
【請求項３】
前記第１のストラップ（３６）と前記第２のストラップ（３８）とが、熱可塑樹脂又は熱硬化樹脂でコーティングされている炭素繊維から作られていることを特徴とする請求項２に記載の遠心ロータ（１０）。
【請求項４】
前記バケット支持部（２０ａ，２０ｂ）それぞれが、第１のトラニオン（２２ａ）及び第２のトラニオン（２４ａ）を有しており、
前記第１のトラニオン（２２ａ）及び前記第２のトラニオン（２４ａ）それぞれが、バケット（１２）を支持するように構成されており、
前記バケット支持部（２０ａ，２０ｂ）それぞれが、前記遠心ロータ（１０）の外周を形成していることを特徴とする請求項１〜３のいずれか一項に記載の遠心ロータ（１０）。
【請求項５】
前記バケット支持部（２０ａ，２０ｂ）それぞれが、略Ｖ字状に配置されている第１のセグメント（２２）及び第２のセグメント（２４）を含んでおり、
前記第１のセグメント（２２）及び前記第２のセグメント（２４）それぞれが、第１のトラニオン（２２ａ）及び第２のトラニオン（２４ａ）を有しており、
前記第１のトラニオン（２２ａ）及び前記第２のトラニオン（２４ａ）それぞれが、バケット（１２）を支持するように構成されていることを特徴とする請求項１〜４のいずれか一項に記載の遠心ロータ（１０）。
【請求項６】
前記バケット支持部（２０ａ，２０ｂ）それぞれが、第１のトラニオン（２２ａ）及び第２のトラニオン（２４ａ）を有しており、
前記第１のトラニオン（２２ａ）及び前記第２のトラニオン（２４ａ）それぞれが、バケット（１２）を支持するように構成されており、
前記第１のトラニオン（２２ａ）及び前記第２のトラニオン（２４ａ）それぞれが、前記第１のストラップ（３６）及び前記第２のストラップ（３８）のうち隣り合うストラップに対して鋭角を形成するように向いていることを特徴とする請求項１〜３及び５のいずれか一項に記載の遠心ロータ（１０）。
【請求項７】
前記第１のストラップ（３６）全体が、前記第１のストラップ（３６）と前記第２のストラップ（３８）とが互いに交差する位置において、前記第２のストラップ（３８）内に配置されていることを特徴とする請求項１〜６のいずれか一項に記載の遠心ロータ（１０）。
【請求項８】
前記第１の組の前記バケット支持部（２０ａ，２０ｂ）それぞれが、上側表面（２０ｃ）を有しており、
前記第１のストラップ（３６）と前記第２のストラップ（３８）とが、前記第１の組の前記バケット支持部（２０ａ，２０ｂ）それぞれの前記上側表面（２０ｃ）を横断している湾曲した面内において延在している、上側表面（３６ａ，３８ａ）を有していることを特徴とする請求項６に記載の遠心ロータ（１０）。
【請求項９】
前記第１の組又は前記第２の組の前記バケット支持部（２０ａ，２０ｂ）のうち少なくとも１つのバケット支持部それぞれが、前記第１のストラップ（３６）又は前記第２のストラップ（３８）を受容するための溝（４０）を含んでいることを特徴とする請求項１〜８のいずれか一項に記載の遠心ロータ（１０）。
【請求項１０】
前記第１のストラップ（３６）及び前記第２のストラップ（３８）が、互いに対して略直角に向いていることを特徴する請求項１〜９のいずれか一項に記載の遠心ロータ（１０）。
【請求項１１】
前記遠心ロータ（１０）が、前記ロータコア（１６）に結合されていると共に遠心スピンドルを介して前記ロータコア（１６）に係合するように構成されている、ロータハブ（５０）を備えており、
前記ロータハブ（５０）が、前記第１のストラップ（３６）及び前記第２のストラップ（３８）から周方向に離隔している位置において、前記ロータコア（１６）に結合されていることを特徴する請求項１〜１０のいずれか一項に記載の遠心ロータ（１０）。
【請求項１２】
前記ロータハブ（５０）と前記ロータコア（１６）との間における継手が、前記ロータコア（１６）から延在していると共に外側表面を有している、複数の駆動ピン（５２）を含んでおり、
前記駆動ピン（５２）のうち少なくとも１つの駆動ピンの前記外側表面が、前記ロータハブ（５０）と前記ロータコア（１６）とが互いに結合している場合に、前記第１のストラップ（３６）及び前記第２のストラップ（３８）のうち少なくとも１つのストラップに接触していることを特徴とする請求項１１に記載の遠心ロータ（１０）。
【請求項１３】
遠心ロータ（１０）を製造するための方法であって、前記遠心ロータ（１０）が、ロータコア（１６）の中心部分（１６ａ）から延在していると共に前記遠心ロータ（１０）の回転軸線（１４）を規定している、複数の細長アーム（３１，３３）を有している前記ロータコア（１６）と、前記ロータコア（１６）に機能的に結合されていると共に前記回転軸線（１４）を中心として配置されている、複数のバケット支持部（２０ａ，２０ｂ）とを備えている、前記方法において、
前記バケット支持部（２０ａ，２０ｂ）それぞれを、前記細長アーム（３１，３３）のうち一の細長アームの長手方向端部に配置するステップと、
対角線上において対向している前記バケット支持部（２０ａ，２０ｂ）から成る第１の組が前記ロータコア（１６）に対して相対的に外方に移動することを制限するために、第１のストラップ（３６）を、対角線上において対向している前記バケット支持部（２０ａ，２０ｂ）から成る前記第１の組に結合するステップと、
第２のストラップ（３８）を、対角線上において対向している前記バケット支持部（２０ａ，２０ｂ）から成る第２の組に結合するステップと、
前記第１のストラップ（３６）と前記第２のストラップ（３８）とが前記回転軸線（１４）において互いに交差しているように、前記第１のストラップ（３６）及び前記第２のストラップ（３８）を配置するステップと、
を備えていることを特徴とする方法。
【請求項１４】
前記第１のストラップ（３６）及び前記第２のストラップ（３８）それぞれを、対角線上において対向している前記バケット支持部（２０ａ，２０ｂ）から成る第１の組及び第２の組に結合するステップが、前記第１のストラップ（３６）及び前記第２のストラップ（３８）それぞれを、対角線上において対向している前記バケット支持部（２０ａ，２０ｂ）から成る前記第１の組又は前記第２の組の周囲に巻き付けることを含んでいることを特徴とする請求項１３に記載の方法。